(57)【要約】  本発明は通信品質を管理することで、移動局の能力以上のスループットを出すことを回避し、サービス品質の劣化を回避する方法、システムを提供する。制御局２０は、コア・ネットワーク１０からの所定のパラメータ（ＭＢＲ、ＧＢＲ、プライオリティ等）に基づき通信品質の管理情報（ＣＱＩマージン、ＣＱＩ上限値／下限値）を導出し、基地局３０は移動局４０からのＣＱＩ報告値と制御局２０からの管理情報に基づき、基地局３０と移動局４０間の帯域の割当を行う（図４）。
2009093542.tif 000002
【特許請求の範囲】
【請求項１】
端末と、
前記端末と無線通信する基地局と、
前記基地局と前記端末間の無線通信の通信品質に関する管理情報を導出し前記基地局に通知する無線制御局と、
を備え、前記基地局は、前記無線制御局からの前記管理情報に基づき、前記基地局と前記端末間の帯域の割当を行う、ことを特徴とする通信システム。
【請求項２】
前記基地局は、前記端末から通知された通信品質の報告と、前記無線制御局からの前記管理情報とに基づき、前記基地局と前記端末間の帯域の割当を決定する、ことを特徴とする請求項１記載の通信システム。
【請求項３】
前記無線制御局は、コアネットワークからの所定のパラメータに基づき、前記通信品質に関する前記管理情報を導出する、ことを特徴とする請求項１又は２記載の通信システム。
【請求項４】
前記無線制御局は、ＱｏＳ（Ｑｕａｌｉｔｙ  ｏｆ  Ｓｅｒｖｉｃｅ）情報、最大送信速度（ＭＢＲ）、保証伝送速度（ＧＢＲ）のうちの少なくとも一つのパラメータに基づき、前記通信品質の前記管理情報として、前記通信品質のマージン、前記通信品質の上限値、前記通信品質の下限値のうち前記パラメータに対応する少なくとも一つの値を決定し、前記基地局に通知する、ことを特徴とする請求項１乃至３のいずれか１項に記載の通信システム。
【請求項５】
前記無線制御局は、前記保証伝送速度（ＧＢＲ）の通知がある場合、前記保証伝送速度（ＧＢＲ）に基づき、前記通信品質の下限値を決定し、前記保証伝送速度（ＧＢＲ）の通知がない場合、前記下限値を予め定められた最小値に設定する、ことを特徴とする請求項４記載の通信システム。
【請求項６】
前記無線制御局は、前記端末の能力に対応したカテゴリに対応させて、前記通信品質の上限値、下限値、伝送速度の対応関係を規定したテーブルを備えている、ことを特徴とする請求項１乃至５のいずれか１項に記載の通信システム。
【請求項７】
前記無線制御局は、ＱｏＳのクラスと前記通信品質のマージンとの対応関係を規定したテーブルを備えている、ことを特徴とする請求項１乃至６のいずれか１項に記載の通信システム。
【請求項８】
前記基地局は、ＱｏＳ（Ｑｕａｌｉｔｙ  ｏｆ  Ｓｅｒｖｉｃｅ）情報に基づき、前記通信品質の管理情報のうち、前記通信品質のマージンを導出する、ことを特徴とする請求項１乃至３のいずれか１項に記載の通信システム。
【請求項９】
前記通信品質がＣＱＩ（Ｃｈａｎｎｅｌ  Ｑｕａｌｉｔｙ  Ｉｎｄｉｃａｔｏｒ）を含む、ことを特徴とする請求項１乃至８のいずれか１項に記載の通信システム。
【請求項１０】
前記基地局は、前記無線制御局から通知されたＣＱＩマージン、ＣＱＩ上限値、ＣＱＩ下限値の少なくとも一つ、および、前記端末からのＣＱＩ報告値を用いてＣＱＩを決定する、ことを特徴とする請求項９記載の通信システム。
【請求項１１】
端末と基地局とを備え、
前記基地局が、前記基地局と前記端末間の無線通信の通信品質に関する管理情報を導出し、前記端末から通知された通信品質の報告と、前記管理情報に基づき、前記基地局と前記端末間の帯域の割当を行う、ことを特徴とする通信システム。
【請求項１２】
前記通信品質がＣＱＩ（Ｃｈａｎｎｅｌ  Ｑｕａｌｉｔｙ  Ｉｎｄｉｃａｔｏｒ）を含む、ことを特徴とする請求項１１記載の通信システム。
【請求項１３】
前記基地局が、前記基地局と端末との間の無線通信に関する通信品質を前記端末から取得し、コアネットワークからのＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、ＣＱＩマージン、ＣＱＩ上限値、ＣＱＩ下限値のうち前記パラメータに対応する少なくとも一つの値を決定する無線制御部を備えている、ことを特徴とする請求項１２記載の通信システム。
【請求項１４】
前記ＱｏＳ情報が、トラフィッククラス情報及び／又は優先度情報を含む、ことを特徴とする請求項４、７、８、１３のいずれか１項に記載の通信システム。
【請求項１５】
無線接続する端末との間の帯域の割当を行う基地局に接続する無線制御局であって、
前記基地局と前記端末間の無線通信の通信品質に関する管理情報を導出する手段を備え、前記管理情報を前記基地局に通知する、ことを特徴とする無線制御局。
【請求項１６】
コアネットワークからの所定のパラメータに基づき前記通信品質に関する管理情報を導出する、ことを特徴とする請求項１５記載の無線制御局。
【請求項１７】
ＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、前記通信品質のマージン、前記通信品質の上限値、前記通信品質の下限値のうち前記パラメータに対応する少なくとも一つの値を決定し、前記基地局に通知する、ことを特徴とする請求項１５又は１６記載の無線制御局。
【請求項１８】
前記保証伝送速度（ＧＢＲ）の通知がある場合、前記保証伝送速度（ＧＢＲ）により前記通信品質の下限値を決定し、前記保証伝送速度（ＧＢＲ）の通知がない場合、前記下限値を予め定められた最小値に設定する、ことを特徴とする請求項１７記載の無線制御局。
【請求項１９】
前記通信品質がＣＱＩ（Ｃｈａｎｎｅｌ  Ｑｕａｌｉｔｙ  Ｉｎｄｉｃａｔｏｒ）を含む、ことを特徴とする請求項１５乃至１８のいずれか一項に記載の無線制御局。
【請求項２０】
前記ＱｏＳ情報が、トラフィッククラス情報及び／又は優先度情報を含む、ことを特徴とする請求項１７記載の無線制御局。
【請求項２１】
無線接続する端末から通知された通信品質の報告と、無線制御局で導出された通信品質の管理情報と、に基づき、基地局と前記端末間の帯域の割当を決定する手段を備えている、ことを特徴とする基地局。
【請求項２２】
端末と無線通信する基地局であって、前記基地局と前記端末間の無線通信の通信品質に関する管理情報を導出し、前記管理情報に基づき、前記基地局と前記端末間の帯域の割当を行う手段を備えた、ことを特徴とする基地局。
【請求項２３】
ＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、前記通信品質のマージン、前記通信品質の上限値、前記通信品質の下限値のうち前記パラメータに対応する少なくとも一つの値を決定し、前記基地局に通知する、ことを特徴とする請求項２１又は２２記載の基地局。
【請求項２４】
前記ＱｏＳ情報が、トラフィッククラス情報及び／又は優先度情報を含む、ことを特徴とする請求項２３に記載の基地局。
【請求項２５】
無線制御局が、基地局と端末間の無線通信の通信品質に関する管理情報を導出し、
前記基地局が、前記無線制御局からの前記管理情報に基づき、前記基地局と前記端末間の帯域の割当を行う、ことを特徴とする通信方法。
【請求項２６】
前記基地局は、前記端末から通知された通信品質の報告と、前記無線制御局からの前記管理情報に基づき、前記基地局と前記端末間の帯域の割当を決定する、ことを特徴とする請求項２５記載の通信方法。
【請求項２７】
前記無線制御局は、コアネットワークからの所定のパラメータに基づき、前記通信品質に関する管理情報を導出する、ことを特徴とする請求項２５又は２６記載の通信方法。
【請求項２８】
前記無線制御局は、ＱｏＳ（Ｑｕａｌｉｔｙ  ｏｆ  Ｓｅｒｖｉｃｅ）情報、最大送信速度（ＭＢＲ）、保証伝送速度（ＧＢＲ）のうちの少なくとも一つのパラメータに基づき、前記通信品質の前記管理情報として、前記通信品質のマージン、前記通信品質の上限値、前記通信品質の下限値のうち前記パラメータに対応する少なくとも一つの値を決定し、前記基地局に通知する、ことを特徴とする請求項２５乃至２７のいずれか１項に記載の通信方法。
【請求項２９】
前記無線制御局は、前記保証伝送速度（ＧＢＲ）の通知がある場合、前記保証伝送速度（ＧＢＲ）に基づき、前記通信品質の下限値を決定し、
前記保証伝送速度（ＧＢＲ）の通知がない場合、前記下限値を予め定められた最小値に設定する、ことを特徴とする請求項２８記載の通信方法。
【請求項３０】
前記通信品質がＣＱＩ（Ｃｈａｎｎｅｌ  Ｑｕａｌｉｔｙ  Ｉｎｄｉｃａｔｏｒ）を含む、ことを特徴とする請求項２５乃至２９のいずれか１項に記載の通信方法。
【請求項３１】
前記基地局は、前記端末からＣＱＩの報告を受けた場合、前記無線制御局から通知されたＣＱＩマージン、ＣＱＩ上限値、ＣＱＩ下限値の少なくとも一つ、および、前記端末からのＣＱＩ報告値を用いてＣＱＩを決定する、ことを特徴とする請求項３０記載の通信方法。
【請求項３２】
基地局が、前記基地局と前記端末間の無線通信の通信品質に関する管理情報を導出し、前記管理情報に基づき、前記基地局と前記端末間の帯域の割当を行う、ことを特徴とする通信方法。
【請求項３３】
前記基地局が、前記端末から前記通信品質としてＣＱＩ（Ｃｈａｎｎｅｌ  Ｑｕａｌｉｔｙ  Ｉｎｄｉｃａｔｏｒ）の報告を取得し、コアネットワークからの、ＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、ＣＱＩマージン、ＣＱＩ上限値、ＣＱＩ下限値のうち前記パラメータに対応する少なくとも一つの値を決定する、ことを特徴とする請求項３２記載の通信方法。
【請求項３４】
前記ＱｏＳ情報が、トラフィッククラス情報及び／又は優先度情報を含む、ことを特徴とする請求項２８又は３３に記載の通信方法。
【請求項３５】
基地局と無線通信する端末であって、
前記基地局に通信品質を報告し、
無線制御局側又は前記基地局で導出された、前記基地局と端末間の無線通信の通信品質に関する管理情報と、前記端末からの前記通信品質の報告と、に基づき、前記基地局によって、前記基地局との間の帯域の割当が行われる、ことを特徴とする端末。
【請求項３６】
無線制御局又は基地局において、
ＱｏＳ（Ｑｕａｌｉｔｙ  ｏｆ  Ｓｅｒｖｉｃｅ）情報をクラス分けしたトラフィッククラス又はプライオリティに対応する、チャネル品質表示ＣＱＩ（Ｃｈａｎｎｅｌ  Ｑｕａｌｉｔｙ  Ｉｎｄｉｃａｔｏｒ）のマージンを求め、
移動局から報告されたＣＱＩ報告値とＣＱＩマージンから、
ＣＱＩ報告値−ＣＱＩマージン
を求め、
前記基地局から前記移動局へのダウンリンク送信に割当てられるチャネルコード数として、ＣＱＩ報告値−ＣＱＩマージンの値に対応する、チャネルコード数を求める、ことを特徴とする通信システム。
【請求項３７】
前記無線制御局又は基地局において、
ＣＱＩ報告値−ＣＱＩマージンが、予め定められたＣＱＩ上限値を超えた場合、又は、予め定められたＣＱＩ下限値を下回った場合、
前記基地局のスケジューラは前記ＣＱＩ上限値又は前記ＣＱＩ下限値を用いる、ことを特徴とする請求項３６記載の通信システム。
【請求項３８】
前記無線制御局又は基地局において、
ＣＱＩの値と伝送速度との対応関係を規定した第１のテーブルを備え、
前記第１のテーブルを参照して、コアネットワーク側から通知された最大伝送速度（ＭＢＲ）に対応するＣＱＩ値を求め、ＣＱＩ上限値とし、
前記第１のテーブルを参照して、前記コアネットワーク側から通知された保証伝送速度（ＧＢＲ）に対応するＣＱＩ値を求めてＣＱ下限値とし、前記コアネットワーク側から保証伝送速度が通知されない場合、ＣＱＩの最小値をＣＱＩ下限値とする、ことを特徴とする請求項３７記載の通信システム。
【請求項３９】
前記無線制御局又は基地局において、
トラフィッククラスとＣＱＩマージンとの対応関係を規定した第２のテーブルを備え、
前記第２のテーブルを参照して、コアネットワーク側から通知されたトラフィッククラスに対応するＣＱＩマージンを求める、ことを特徴とする請求項３６又は３７記載の通信システム。
【請求項４０】
前記第１のテーブルが、ＣＱＩの値及び伝送速度と対応させて、前記基地局から前記移動局へのダウンリンク送信に割当てられるチャネルコード数を保持する、ことを特徴とする請求項３８記載の通信システム。
【請求項４１】
無線制御局又は基地局において、
ＱｏＳ（Ｑｕａｌｉｔｙ  ｏｆ  Ｓｅｒｖｉｃｅ）情報をクラス分けしたトラフィッククラス又はプライオリティに対応する、チャネル品質表示ＣＱＩ（Ｃｈａｎｎｅｌ  Ｑｕａｌｉｔｙ  Ｉｎｄｉｃａｔｏｒ）のマージンを求め、
移動局から報告されたＣＱＩ報告値とＣＱＩマージンから、
ＣＱＩ報告値−ＣＱＩマージン
を求め、
前記基地局から前記移動局へのダウンリンク送信に割当てられるチャネルコード数として、ＣＱＩ報告値−ＣＱＩマージンの値に対応する、チャネルコード数を求める、ことを特徴とする通信方法。
【請求項４２】
前記無線制御局又は基地局において、
ＣＱＩ報告値−ＣＱＩマージンが、予め定められたＣＱＩ上限値を超えた場合、又は、予め定められたＣＱＩ下限値を下回った場合、
前記基地局のスケジューラは前記ＣＱＩ上限値又は前記ＣＱＩ下限値を用いる、ことを特徴とする請求項４１記載の通信方法。
【請求項４３】
前記無線制御局又は基地局において、
ＣＱＩの値と伝送速度との対応関係を規定した第１のテーブルを参照して、コアネットワーク側から通知された最大伝送速度（ＭＢＲ）に対応するＣＱＩ値を求めＣＱＩ上限値とし、
前記第１のテーブルを参照して、前記コアネットワーク側から通知された保証伝送速度（ＧＢＲ）に対応するＣＱＩ値を求めてＣＱ下限値とし、前記コアネットワーク側から保証伝送速度が通知されない場合、ＣＱＩの最小値をＣＱＩ下限値とする、ことを特徴とする請求項４２記載の通信方法。
【請求項４４】
前記無線制御局又は基地局において、
トラフィッククラスとＣＱＩマージンとの対応関係を規定した第２のテーブルを参照して、コアネットワーク側から通知されたトラフィッククラスに対応するＣＱＩマージンを求める、ことを特徴とする請求項４１又は４２記載の通信方法。
【請求項４５】
前記第１のテーブルが、ＣＱＩの値及び伝送速度と対応させて、前記基地局から前記移動局へのダウンリンク送信に割当てられるチャネルコード数を保持する、ことを特徴とする請求項４３記載の通信方法。
【発明の詳細な説明】
【技術分野】
【０００１】
（関連出願についての記載）
本願は、先の日本特許出願２００８−０１３７６１号（２００８年１月２４日出願）の優先権を主張するものであり、前記先の出願の全記載内容は、本書に引用をもって繰込み記載されているものとみなされる。
本発明は、無線通信システムに関し、特に、基地局と端末の間のチャネルの割当技術に関する。
【背景技術】
【０００２】
無線ネットワーク制御局（Ｒａｄｉｏ  ｎｅｔｗｏｒｋ  Ｃｏｎｔｒｏｌｌｅｒ；「無線制御局」、単に「制御局」とも略記される）においては、無線基地局（「基地局」という）と端末（移動局）間で閉じて行われていたＣＱＩ（Ｃｈａｎｎｅｌ  Ｑｕａｌｉｔｙ  Ｉｎｄｉｃａｔｏｒ：チャネル品質表示）を用いた制御には関与していない。ＣＱＩは、移動局にてＰ−ＣＰＩＣＨ（Ｐｒｉｍａｒｙ  Ｃｏｍｍｏｎ  Ｐｉｌｏｔ  Ｃｈａｎｎｅｌ）の受信品質に基づいて決定され、ＢＬＥＲ（Ｂｌｏｃｋ  Ｅｒｒｏｒ  Ｒａｔｉｏ）＜１０％を達成するＴＦＲＩ（Ｔｒａｎｓｐｏｒｔ  Ｆｏｒｍａｔ  Ｒｅｓｏｕｒｃｅ  Ｉｎｄｅｘ：タイムスロットに割りあてたコード数、変調方式、データサイズを表す）を、１〜３０の数値で示す。【０００３】
この場合、例えば非優先呼のＣＱＩが、優先呼のＣＱＩ値よりも高いために、優先呼のスループットが低下することが予想される。【０００４】
また、コア・ネットワークから通知される最大送信速度（ＭＢＲ：Ｍａｘｉｍｕｍ  Ｂｉｔ  Ｒａｔｅ）を基地局側で考慮していないため、基地局が移動局（ＵＥ：Ｕｓｅｒ  Ｅｑｕｉｐｍｅｎｔ）の能力以上のスループットを出してしまう可能性がある。【０００５】
さらに、ストリーミングサービスにおいては、移動局からのＣＱＩ報告値により、保証伝送速度（ＧＢＲ：Ｇｕａｒａｎｔｅｅｄ  Ｂｉｔ  Ｒａｔｅ）を下回るチャネル割り当てが行われる可能性がある。【０００６】
基地局は、端末から送信されたＣＱＩ（品質情報）を用いて適切なＴＦＲＩを選択することで、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）の適応変調・符号化（ＡＭＣ：  Ａｄａｐｔｉｖｅ  Ｍｏｄｕｌａｔｉｏｎ  ａｎｄ  Ｃｏｄｉｎｇ）を実現する。【０００７】
なお、特許文献１には、無線ネットワーク制御局（ＲＮＣ）が予め選択された時間、ノードＮＯＤＥＢ＃１（基地局）の目標ＳＩＲ（信号対干渉比）の更新が行われなかった場合、自律的に目標ＳＩＲを細かい刻みで更新する構成が開示されている。また特許文献２には、移動局と無線基地局との間で適応変調制御を実行する移動通信システムにおいて、適応変調制御に用いるパラメータに関する情報を、無線基地局の上位装置側に送信する送信処理部を備えた構成、及び、前記上位装置側において前記パラメータを用いた帯域制御を実行する帯域制御部を備えた構成の移動通信システムが開示されている。さらに、特許文献３には、無線基地局にて上りリンクの無線リソース制御を直接行う移動通信システムにおいて、無線基地局間における上り無線リソースを効率的に割り当て、各移動局の上りリンクの通信品質劣化及び呼切断を防ぐ無線リソース割当方法が開示されている。この方法においては、無線基地局が当該無線基地局の特定セルにおける総受信電力と無線回線制御局から指定される第１の目標値とを比較し、前記総受信電力が前記第１の目標値よりも大きくない場合、前記特定セルをサービングセルとするサービング移動局からの受信電力と当該特定セルを非サービングセルとする非サービング移動局からの受信電力との比と、無線回線制御局から指定される第２の目標値とを比較し、前記比が前記第２の目標値よりも小さくない場合、前記非サービング移動局に割り当てる上り無線リソースを変更することなく維持する。上記特許文献１乃至３に開示された発明は、後の説明からも明らかとされるように、本発明とはその構成、作用効果が全く相違している。【０００８】
【特許文献１】特開２００２−３４４３８４号公報
【特許文献２】特開２００６−６７４３３号公報
【特許文献３】特開２００６−２５４４２６号公報
【発明の開示】
【発明が解決しようとする課題】
【０００９】
以下に本発明により関連技術の分析を与える。【００１０】
関連技術においては、ＣＱＩ（Channel  Quality  Indicator）を用いた送信制御には関与していないため、非優先呼のＣＱＩが優先呼のＣＱＩ値よりも高いために優先呼のスループットが低下することが予想される。【００１１】
また、コア・ネットワークから通知される最大送信速度（ＭＢＲ：Ｍａｘｉｍｕｍ  Ｂｉｔ  Ｒａｔｅ）を基地局側が意識（考慮）しないため、基地局が移動局（ＵＥ：User Equipment）の能力以上のスループットを出してしまう可能性がある。【００１２】
さらに、ストリーミングサービスにおいては、移動局からのＣＱＩ報告値により保証伝送速度（ＧＢＲ：Ｇｕａｒａｎｔｅｅｄ  Ｂｉｔ  Ｒａｔｅ）を下回るチャネル割り当てが行われる可能性がある。【００１３】
したがって、本発明の目的は、基地局と端末間の通信品質を管理することで、基地局が移動局の能力以上のスループットを出すことを回避し、サービス品質の劣化を回避する通信システム、無線制御局、基地局、通信方法を提供することにある。
【課題を解決するための手段】
【００１４】
本願で開示される発明は前記課題を解決するため概略以下の構成とされる。本発明の１つの側面によれば、端末（移動局）と基地局と無線制御局とを備え、前記無線制御局は、基地局と端末間の無線通信の通信品質に関する管理情報を導出し、前記基地局は、前記無線制御局からの前記管理情報に基づき、前記基地局と前記端末間の帯域の割当を行う通信システムが提供される。【００１５】
本発明によれば、無線接続する端末との間の帯域の割当を行う基地局に接続する無線制御局であって、前記基地局と前記端末間の無線通信の通信品質に関する管理情報を導出する手段を備え、前記管理情報を前記基地局に通知する無線制御局が提供される。【００１６】
本発明によれば、無線接続する端末から通知された通信品質の報告と、無線制御局で導出された通信品質の管理情報と、に基づき、基地局と前記端末間の帯域の割当を決定する手段を備えている基地局が提供される。【００１７】
本発明によれば、端末と無線通信する基地局であって、前記基地局と前記端末間の無線通信の通信品質に関する管理情報を導出し、前記管理情報に基づき、前記基地局と前記端末間の帯域の割当を行う手段を備えた基地局が提供される。【００１８】
本発明によれば、無線制御局が、基地局と端末間の無線通信の通信品質に関する管理情報を導出し、
前記基地局が、前記無線制御局からの前記管理情報に基づき、前記基地局と前記端末間の帯域の割当を行う、通信方法が提供される。【００１９】
本発明によれば、基地局が、前記基地局と前記端末間の無線通信の通信品質に関する管理情報を導出し、前記管理情報に基づき、前記基地局と前記端末間の帯域の割当を行う、通信方法が提供される。【００２０】
本発明によれば、基地局と無線通信する端末であって、前記基地局に通信品質を報告し、無線制御局側又は前記基地局で導出された、前記基地局と端末間の無線通信の通信品質に関する管理情報と、前記端末からの前記通信品質の報告と、に基づき、前記基地局によって、前記基地局との間の帯域の割当が行われる端末が提供される。
【発明の効果】
【００２１】
本発明によれば、基地局が移動局の能力以上のスループットを出すことを回避し、サービス品質の劣化を回避することができる。その結果、優先呼のスループットを改善し、チャネル割り当ての最適化を図ることができる。
【図面の簡単な説明】
【００２２】
【図１】本発明の一実施例の動作を説明する流れ図である。
【図２】本発明の一実施例の動作を説明する流れ図である。
【図３】本発明を適用した場合と適用しない場合の効果を説明する図である。
【図４】本発明の一実施例のシステム構成を示す図である。
【図５】本発明の一実施例のシステム構成を示す図である。
【符号の説明】
【００２３】
１０  コア・ネットワーク
２０  制御局（無線制御局）
２１  ＣＱＩ上限値決定部
２２  ＣＱＩ下限値決定部
２３  ＣＱＩマージン決定部
３０  基地局（無線基地局）
４０  移動局
５０  無線制御部
５１  ＣＱＩ上限値決定部
５２  ＣＱＩ下限値決定部
５３  ＣＱＩマージン決定部
５４  無線伝送部
【発明を実施するための最良の形態】
【００２４】
本発明においては、無線制御局は、基地局に対して、ＱｏＳ（Ｑｕａｌｉｔｙ  ｏｆ  Ｓｅｒｖｉｃｅ）クラスやコア・ネットワークから通知される最大送信速度（ＭＢＲ：Ｍａｘｉｍｕｍ  Ｂｉｔ  Ｒａｔｅ）・保証送信速度（ＧＢＲ：Ｇｕａｒａｎｔｅｅｄ  Ｂｉｔ  Ｒａｔｅ）を考慮したＣＱＩマージン・ＣＱＩ上限値／下限値を通知する。該基地局では、無線制御局から通知されたＣＱＩマージン、ＣＱＩ上限値／下限値と、端末（移動局）から通知されるＣＱＩ報告値とを基に、端末との間のチャネル割り当てを行う。なお、ＣＱＩは、端末（移動局）において、Ｐ−ＣＰＩＣＨ（Ｐｒｉｍａｒｙ  Ｃｏｍｍｏｎ  Ｐｉｌｏｔ  Ｃｈａｎｎｅｌ）の受信品質に基づいて決定され、
ＢＬＥＲ（Ｂｌｏｃｋ  Ｅｒｒｏｒ  Ｒａｔｉｏ）＜１０％
を達成するＴＦＲＩ（Ｔｒａｎｓｐｏｒｔ  Ｆｏｒｍａｔ  Ｒｅｓｏｕｒｃｅ  Ｉｎｄｅｘ：タイムスロットに割りあてたコード数、変調方式、データサイズを表す）を１〜３０の数値で示す。以下実施例に即して説明する。
【実施例】
【００２５】
図４は、本発明の一実施例のシステム構成を示す図である。図４を参照すると、本実施例の通信システムは、コア・ネットワーク１０と、無線制御局（ＲＮＣ：以下「制御局」という）２０と、基地局３０と、端末（移動局）（ＵＥ：Ｕｓｅｒ  Ｅｑｕｉｐｍｅｎｔ）４０を備えている。【００２６】
本実施例において、制御局２０は、基地局３０と端末（移動局）４０間の通信品質（例えば下りチャネル）の管理情報を導出するための構成として、ＣＱＩ上限値決定部２１とＣＱＩ下限値決定部２２とＣＱＩマージン決定部２３とを備えている。【００２７】
本実施例においては、制御局２０のＣＱＩマージン決定部２３で決定されたＣＱＩマージンは、基地局３０に通知される。【００２８】
基地局３０は、制御局２０から通知されたＣＱＩマージンを用いて、非優先呼のチャネル割り当てを抑制することで、優先呼に多くのチャネルを割り当て、優先呼のスループットを改善する。【００２９】
また、コア・ネットワーク１０から制御局２０に通知される、ＭＢＲやＧＢＲを基に、制御局２０のＣＱＩ上限値決定部２１、ＣＱＩ下限値決定部２２は、ＣＱＩ上限値とＣＱＩ下限値をそれぞれ決定し、基地局３０に通知する。この結果、基地局３０において、余分なチャネル割り当てを行うことが抑制され、最適なチャネル割り当てが行われる。【００３０】
図１は、本発明の一実施例における。制御局２０のＣＱＩマージン・ＣＱＩ上限値・ＣＱＩ下限値を決定する手順を示すフローチャートである。【００３１】
ＣＱＩマージン値の決定とＣＱＩ上限値の決定は、例えば、新規呼を確立する時に行われる。【００３２】
制御局２０は、新規呼を確立するときに、コア・ネットワーク１０より、ＧＢＲ、ＭＢＲトラフィッククラス（Ｔｒａｆｆｉｃ  Ｃｌａｓｓ）、アロケーション（割当）／リテンション（保持）・プライオリティ（Ａｌｌｏｃａｔｉｏｎ／Ｒｅｔｅｎｔｉｏｎ  Ｐｒｉｏｒｉｔｙ）、トラフィックハンドリング・プライオリティ（Ｔｒａｆｆｉｃ  Ｈａｎｄｌｉｎｇ  Ｐｒｉｏｒｉｔｙ）などが通知される（ステップＳ１）。【００３３】
制御局２０は、これらの値と、移動局（ＵＥ）４０の能力（ＵＥ  Ｃａｔｅｇｏｒｙ）を基に、ＣＱＩマージン・ＣＱＩ上限値／下限値を決定する。【００３４】
まず、制御局２０のＣＱＩマージン決定部２３は、トラフィッククラス、プライオリティにより、ＣＱＩマージンを決定する（ステップＳ２）。【００３５】
次に、制御局２０のＣＱＩ上限値決定部２１は、ＭＢＲよりＣＱＩ上限値を決定する（ステップＳ３）。【００３６】
コア・ネットワーク１０より制御局２０に、ＧＢＲの通知がある場合（ステップＳ４のＹＥＳ分岐）、制御局２０のＣＱＩ下限値決定部２２は、ＧＢＲによりＣＱＩ下限値を決定する（ステップＳ５）。【００３７】
コア・ネットワーク１０より制御局２０に、ＧＢＲの通知がない場合（ステップＳ４のＮＯ分岐）、制御局２０のＣＱＩ下限値決定部２２は、ＣＱＩ下限値を最小値に設定する（ステップＳ６）。【００３８】
制御局２０のＣＱＩマージン決定部２３、ＣＱＩ上限値決定部２１、ＣＱＩ下限値決定部２２は、決定したＣＱＩマージン、ＣＱＩ上限値、ＣＱＩ下限値を、基地局３０に通知する。【００３９】
以下、制御局２０におけるＣＱＩ上限値とＣＱＩ下限値とＣＱＩマージンの決定の仕方を説明する。【００４０】
＜ＣＱＩ上限値の決定＞
制御局２０は、ＣＱＩ上限値決定部２１において、コア・ネットワーク１０より通知されるＭＢＲを基に、ＣＱＩ上限値を決定する。以下の表１は、ＭＢＲをＣＱＩ上限値にマッピングするテーブルの一例を示している。表１のNumber of HS-PDSCHは、HS-PDSCH(High Speed  Physical Down Link)送信に用いられるコード数（チャネルコード数）を表している。表１のマッピングテーブルはＣＱＩ上限値決定部２１内に保持される。【００４１】
コア・ネットワーク１０より通知されたＭＢＲが例えば１Ｍｂｐｓ（メガビット／秒）である場合、制御局２０のＣＱＩ上限値決定部２１は、ＣＱＩ上限値とＭＢＲのマッピングテーブル（表１）を参照して、ＣＱＩ上限値を「１４」と決定する。表１のテーブルにおいて、ＣＱＩ値の「１２」と「１４」の間にビットレート１Ｍｂｐｓが存在するため、ＣＱＩ上限値を「１２」と決定してもよい。【００４２】
本実施例において、マッピングテーブルは、ＵＥカテゴリ（ＵＥ  Ｃａｔｅｇｏｒｙ）とよばれる移動局の能力毎に用意される。ＵＥカテゴリは、呼確立時に、移動局４０から基地局２０を介して制御局２０に通知されている。【００４３】
【表１】
2009093542.tif 000003
【００４４】
＜ＣＱＩ下限値の決定＞
コア・ネットワーク１０からＧＢＲが通知された場合、制御局２０のＣＱＩ下限値決定部２２は、ＣＱＩ上限値と同様に、表１のマッピングテーブルを用いて、ＣＱＩ下限値を決定する。【００４５】
例えば、ＧＢＲが０．５Ｍｂｐｓの場合、ＣＱＩ下限値を「９」に設定する。ＧＢＲがコア・ネットワーク１０から報告されなかった場合は、ＣＱＩ下限値を最小値に設定する。なお、ＣＱＩ下限値の決定処理は、制御局２０の代わりに、基地局３０で行ってもよい。基地局３０は、制御局２０からＧＢＲを通知される場合もあり、この場合、基地局３０にてＣＱＩ下限値の決定を行うことができる。【００４６】
＜ＣＱＩマージンの決定＞
制御局２０のＣＱＩマージン決定部２３は、コア・ネットワーク１０より通知されるＱｏＳクラスであるトラフィッククラス（Ｔｒａｆｆｉｃ  Ｃｌａｓｓ）を基に、ＣＱＩマージンを決定する。【００４７】
下記の表２に、トラフィッククラスとＣＱＩマージンのマッピングテーブルの一例を示している。表２に示すように、ＱｏＳクラスを、Ｃｏｎｖｅｒｓａｔｉｏｎａｌ（会話）クラス、Ｓｔｒｅａｍｉｎｇ（ストリーミング）クラス、Ｉｎｔｅｒａｃｔｉｖｅ（インタラクティブ）クラス、Ｂａｃｋｇｒｏｕｎｄ（バックグランド）クラスの４つのトラフィッククラスに分ける。Ｃｏｎｖｅｒｓａｔｉｏｎａｌ及びＳｔｒｅａｍｉｎｇクラスは実時間のトラフィック、Ｉｎｔｅｒａｃｔｉｖｅ及びＢａｃｋｇｒｏｕｎｄクラスは、非実時間のトラフィックであり、それぞれのトラフィック・クラスに対して、ＣＱＩマージンは０、２、４、８とされている。【００４８】
コア・ネットワーク１０より通知されたトラフィッククラスが、例えばインタラクティブ（Ｉｎｔｅｒａｃｔｉｖｅ）の場合、制御局２０のＣＱＩマージン決定部２３は、ＣＱＩマージンを「４」と決定する。【００４９】
この例の場合、制御局２０のＣＱＩマージン決定部２３は、トラフィッククラスのみを考慮しているが、アロケーション／リテンション・プライオリティ（Ａｌｌｏｃａｔｉｏｎ／Ｒｅｔｅｎｔｉｏｎ  Ｐｒｉｏｒｉｔｙ）やトラフィックハンドリングプライオリティ（Ｔｒａｆｆｉｃ  Ｈａｎｄｌｉｎｇ  Ｐｒｉｏｒｉｔｙ）などを用いて細かな割り当て制御を行うようにしてもよい。アロケーション／リテンション・プライオリティでは、「０」〜「１５」の差別化が行え、トラフィックハンドリングプライオリティでも「０」〜「１５」の差別化を行うことができる。なお、ＣＱＩマージンは負の数を設定してもよい。【００５０】
ＣＱＩマージンの決定処理は、制御局２０の代わりに、基地局３０側で行うようにしてもよい。【００５１】
基地局３０は、制御局２０からスケジューリングプライオリティ（Ｓｃｈｅｄｕｌｉｎｇ  Ｐｒｉｏｒｉｔｙ）とアロケーション／リテンション・プライオリティの通知を受けるため、これらの値を考慮して、ＣＱＩマージンを決定することも可能である。【００５２】
ただし、基地局３０でＣＱＩマージンの決定処理を行う場合、トラフィックハンドリングプライオリティの代わりに、スケジューリングプライオリティ・インディケータを用いることになる。【００５３】
【表２】
2009093542.tif 000004
【００５４】
上記のように、制御局２０は、ＣＱＩマージンとＣＱＩ上限値／下限値を決定し、基地局３０に通知することになる。【００５５】
図２は、基地局３０におけるＣＱＩ値の決定手順を示すフローチャートである。以下に、図２及び図４を参照して、基地局３０におけるＣＱＩ値の決定を説明する。【００５６】
基地局３０は、移動局４０よりＣＱＩが通知される（ステップＳ１１）。【００５７】
基地局３０は、移動局４０よりＣＱＩの通知を受けた場合（ステップＳ１２のＹＥＳ）、制御局２０から通知されたＣＱＩマージンとＣＱＩ上限値、および、移動局４０から通知されるＣＱＩ報告値を用いて、移動局４０の実際のＣＱＩを、例えば式（１）のように決定する（ステップＳ１３）。【００５８】
ＣＱＩ＝Ｍｅｄｉａｎ（ＣＱＩ上限値，（ＣＱＩ報告値−ＣＱＩマージン），ＣＱＩ下限値）    ・・・（１）【００５９】
上式（１）において、Ｍｅｄｉａｎは中央値である。上式（１）で決定されたＣＱＩを基地局３０のスケジューラ（不図示；チャネル割当等の無線伝送のスケジューリング制御を行う）に入力する（ステップＳ１４）。【００６０】
例えば、
“（ＣＱＩ報告値−ＣＱＩマージン）＞ＣＱＩ上限値”となった場合、通常、移動局４０の能力以上のスループット（ＭＢＲ）を出すことになるが、本実施例においては、ＣＱＩ上限値の導入により、移動局４０の能力以下に基地局３０のスループットを抑えることが可能になる。すなわち、制御局２０から基地局３０に通知されるＣＱＩ上限値により、基地局３０のスケジューラにおいて、基地局３０からの送信速度等が、移動局４０の能力以下を超えることは回避される。【００６１】
また、“（ＣＱＩ報告値−ＣＱＩマージン）＜ＣＱＩ下限値”となった場合、保証すべきサービス品質を下回ったスループットにすることになる。しかしながら、本実施例によれば、ＣＱＩ下限値により、サービス品質低下を抑えることが可能になる。【００６２】
また、移動局＃１（図４参照）がトラフィッククラスとして、会話（Ｃｏｎｖｅｒｓａｔｉｏｎａｌ）を行っており、移動局＃２（図４参照）がバックグランド（Ｂａｃｋｇｒｏｕｎｄ）を行っていたとする。【００６３】
このとき、移動局＃１のＣＱＩ報告値が「１２」、移動局＃２のＣＱＩ報告値が「１４」であった場合、通常だと（すなわち本発明を適用しない場合）、表１のマップテーブルから、
移動局＃１に３コードを割り当て、
移動局＃２に４コードを割り当てることになる。【００６４】
これに対して、本発明によれば、ＣＱＩマージンの導入により、表２から、トラフィッククラスが会話（Ｃｏｎｖｅｒｓａｔｉｏｎａｌ）のＣＱＩマージンは「０」、トラフィッククラスがバックグランド（Ｂａｃｋｇｒｏｕｎｄ）のＣＱＩマージンは「８」となり、
移動局＃１：ＣＱＩ報告値（＝１２）−ＣＱＩマージン（＝０）＝１２
移動局＃２：ＣＱＩ報告値（＝１４）−ＣＱＩマージン（＝８）＝６
となり、
移動局＃１には、ＣＱＩ＝１２に対応する３コード、
移動局＃２には、ＣＱＩ＝６に対応する１コード
が割り当てられることになる。すなわち、移動局＃１に対して、優先的にチャネルを割り当てることが可能になる。【００６５】
図３は、本発明を適用した場合と適用しない比較例とを対比して示す図である。図３において、破線は、移動局より通知されるＣＱＩ値の時間変化を示している。実線は、本発明にしたがってＣＱＩ上限値とＣＱＩ下限値を用いた場合における、基地局３０のスケジューラで使用されるＣＱＩ値を示している。【００６６】
図３に示すように、ＣＱＩ報告値がＣＱＩ上限値を超えると、本発明が適用されない場合には、基地局のスケジューラは、コア・ネットワークより通知されたＭＢＲ以上のチャネルリソースを割り当てようとしてしまう（図３のＣＱＩ上限値を超えた破線参照）。【００６７】
これに対して、本実施例においては、ＣＱＩ上限値を設けることで、余分なチャネルリソースを割り当てないように動作することができる。【００６８】
また、本発明が適用されない場合、ＣＱＩ報告値がＣＱＩ下限値を下回ると、基地局スケジューラはコア・ネットワークより通知されたＧＢＲ以下のチャネルリソースしか割り当てないようにしてしまう（図３のＣＱＩ下限値より下方の破線参照）。【００６９】
これに対して、本実施例によれば、ＣＱＩ下限値を設けることで最低限のサービス品質を保つだけのチャネルリソースを割り当てるように動作することができる。【００７０】
以上説明したように、本実施例においては、以下の作用効果を奏する。【００７１】
本実施例によれば、ＭＢＲを考慮してＣＱＩの上限を設けているため、基地局が移動局（ＵＥ）の能力以上の送信速度を出すことがない。【００７２】
本実施例によれば、ＧＢＲを考慮してＣＱＩの下限を設けているため、サービス品質を劣化させないことを可能としている。【００７３】
本実施例によれば、トラフィッククラス（Ｔｒａｆｆｉｃ  Ｃｌａｓｓ）やプライオリティ（Ｐｒｉｏｒｉｔｙ）などのＱｏＳ（Ｑｕａｌｉｔｙ  ｏｆ  Ｓｅｒｖｉｃｅ）を考慮して、ＣＱＩ値の変更をしているため、サービスの差別化を行うことができる。【００７４】
さらに、本実施例によれば、３ＧＰＰで標準化が進んでいるＬＴＥ（Ｌｏｎｇ  Ｔｅｒｍ  Ｅｖｏｌｕｔｉｏｎ）では、制御局と基地局が一体化されているため、上記全ての情報（ＭＢＲ／ＧＢＲ／Ｐｒｉｏｒｉｔｙ）を、基地局で知ることが可能である。したがって、図５に示すように、ＣＱＩ上限値決定部５１、ＣＱＩ下限値決定部５２、ＣＱＩマージン決定部５３を、基地局３０（ｅＮｏｄｅＢ）側の無線制御部５０に備えた構成としてもよい。【００７５】
ＬＴＥでは、既存のＷ−ＣＤＭＡのＨＳＤＰＡ（Ｈｉｇｈ  Ｓｐｅｅｄ  Ｄｏｗｎ  Ｐａｃｋｅｔ  Ａｃｃｅｓｓ）方式とは異なり、サブキャリアの本数をダイナミックに移動局に割り当てることで、スループットを改善する。【００７６】
上記のチャネルをサブキャリアに置き換えることで、ＭＢＲ／ＧＢＲ／Ｐｒｉｏｒｉｔｙ（優先順位）を考慮して、割り当てるサブキャリア数に制限を設けることが可能である。【００７７】
ＣＱＩ上限値・ＣＱＩ下限値により、サブキャリアの割り当て数の上限・下限を決定し、ＣＱＩマージンによりサブキャリア割り当て数に優先順位に応じた差別化を行う。【００７８】
また、ＬＴＥと並行して３ＧＰＰで検討が進められているＨＳＰＡ  Ｅｖｏｌｕｔｉｏｎでは、アクセス方式は従来の通りＣＤＭＡ方式を採用するが、制御局と基地局が一体化されることを想定している。この場合、ＬＴＥと同様に基地局だけで、ＭＢＲ／ＧＢＲ／Ｐｒｉｏｒｉｔｙを知ることができる。この場合、図５に示すように、ＣＱＩ上限値決定部５１、ＣＱＩ下限値決定部５２、ＣＱＩマージン決定部５３を、基地局３０の無線制御部５０に備え、無線伝送部５４のスケジューラ（不図示）にて、チャネル数の割り当てを行うことになる。【００７９】
上記した実施例は以下の通りである。【００８０】
［１］  実施例の通信システムは、端末と、前記端末と無線通信する基地局と、前記基地局と前記端末間の無線通信の通信品質に関する管理情報を導出し前記基地局に通知する無線制御局と、を備え、前記基地局は、前記無線制御局からの前記管理情報に基づき、前記基地局と前記端末間の帯域の割当を行う。【００８１】
［２］  ［１］の通信システムにおいて、前記基地局は、前記端末から通知された通信品質の報告と、前記無線制御局からの前記管理情報とに基づき、前記基地局と前記端末間の帯域の割当を決定する。【００８２】
［３］  ［１］又は［２］の通信システムにおいて、前記無線制御局は、コアネットワークからの所定のパラメータに基づき、前記通信品質に関する前記管理情報を導出する。【００８３】
［４］  ［１］乃至［３］のいずれか１つの通信システムにおいて、前記無線制御局は、ＱｏＳ（Ｑｕａｌｉｔｙ  ｏｆ  Ｓｅｒｖｉｃｅ）情報、最大送信速度（ＭＢＲ）、保証伝送速度（ＧＢＲ）のうちの少なくとも一つのパラメータに基づき、前記通信品質の前記管理情報として、前記通信品質のマージン、前記通信品質の上限値、前記通信品質の下限値のうち前記パラメータに対応する少なくとも一つの値を決定し、前記基地局に通知する。【００８４】
［５］  ［４］の通信システムにおいて、前記無線制御局は、前記保証伝送速度（ＧＢＲ）の通知がある場合、前記保証伝送速度（ＧＢＲ）に基づき、前記通信品質の下限値を決定し、前記保証伝送速度（ＧＢＲ）の通知がない場合、前記下限値を予め定められた最小値に設定する。【００８５】
［６］  ［１］乃至［５］のいずれか１つの通信システムにおいて、前記無線制御局は、前記端末の能力に対応したカテゴリに対応させて、前記通信品質の上限値、下限値、伝送速度の対応関係を規定したテーブルを備えている。【００８６】
［７］  ［１］乃至［６］のいずれか１つの通信システムにおいて、前記無線制御局は、ＱｏＳのクラスと前記通信品質のマージンとの対応関係を規定したテーブルを備えている。【００８７】
［８］  ［１］乃至［３］のいずれか１つの通信システムにおいて、前記基地局は、ＱｏＳ（Ｑｕａｌｉｔｙ  ｏｆ  Ｓｅｒｖｉｃｅ）情報に基づき、前記通信品質の管理情報のうち、前記通信品質のマージンを導出する。【００８８】
［９］  ［１］乃至［８］のいずれか１つの通信システムにおいて、前記通信品質がＣＱＩ（Ｃｈａｎｎｅｌ  Ｑｕａｌｉｔｙ  Ｉｎｄｉｃａｔｏｒ）を含む。【００８９】
［１０］  ［９］の通信システムにおいて、前記基地局は、前記無線制御局から通知されたＣＱＩマージン、ＣＱＩ上限値、ＣＱＩ下限値の少なくとも一つ、および、前記端末からのＣＱＩ報告値を用いてＣＱＩを決定する。【００９０】
［１１］  実施例の通信システムは、端末と基地局とを備え、前記基地局が、前記基地局と前記端末間の無線通信の通信品質に関する管理情報を導出し、前記端末から通知された通信品質の報告と、前記管理情報に基づき、前記基地局と前記端末間の帯域の割当を行う。【００９１】
［１２］  ［１１］の通信システムにおいて、前記通信品質がＣＱＩ（Ｃｈａｎｎｅｌ  Ｑｕａｌｉｔｙ  Ｉｎｄｉｃａｔｏｒ）を含む。【００９２】
［１３］  ［１１］又は［１２］の通信システムにおいて、前記基地局が、前記基地局と端末との間の無線通信に関する通信品質を前記端末から取得し、コアネットワークからのＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、ＣＱＩマージン、ＣＱＩ上限値、ＣＱＩ下限値のうち前記パラメータに対応する少なくとも一つの値を決定する無線制御部を備えている。【００９３】
［１４］  ［４］，［７］、［８］、［１３］のいずれか１つの通信システムにおいて、前記ＱｏＳ情報が、トラフィッククラス情報及び／又は優先度情報を含む。【００９４】
［１５］  実施例の無線制御局は、無線接続する端末との間の帯域の割当を行う基地局に接続する無線制御局であって、前記基地局と前記端末間の無線通信の通信品質に関する管理情報を導出する手段を備え、前記管理情報を前記基地局に通知する。【００９５】
［１６］  ［１５］の無線制御局は、コアネットワークからの所定のパラメータに基づき前記通信品質に関する管理情報を導出する。【００９６】
［１７］  ［１５］又は［１６］の無線制御局は、ＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、前記通信品質のマージン、前記通信品質の上限値、前記通信品質の下限値のうち前記パラメータに対応する少なくとも一つの値を決定し、前記基地局に通知する。【００９７】
［１８］  ［１７］の無線制御局は、前記保証伝送速度（ＧＢＲ）の通知がある場合、前記保証伝送速度（ＧＢＲ）により前記通信品質の下限値を決定し、前記保証伝送速度（ＧＢＲ）の通知がない場合、前記下限値を予め定められた最小値に設定する。【００９８】
［１９］  ［１５］乃至［１８］のいずれか１つの無線制御局は、前記通信品質がＣＱＩ（Ｃｈａｎｎｅｌ  Ｑｕａｌｉｔｙ  Ｉｎｄｉｃａｔｏｒ）を含む。【００９９】
［２０］  ［１７］の無線制御局は、前記ＱｏＳ情報が、トラフィッククラス情報及び／又は優先度情報を含む。【０１００】
［２１］  実施例の基地局は、無線接続する端末から通知された通信品質の報告と、無線制御局で導出された通信品質の管理情報と、に基づき、基地局と前記端末間の帯域の割当を決定する手段を備えている。【０１０１】
［２２］  実施例の基地局は、端末と無線通信する基地局であって、前記基地局と前記端末間の無線通信の通信品質に関する管理情報を導出し、前記管理情報に基づき、前記基地局と前記端末間の帯域の割当を行う手段を備える。【０１０２】
［２３］  ［２１］又は［２２］の基地局は、ＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、前記通信品質のマージン、前記通信品質の上限値、前記通信品質の下限値のうち前記パラメータに対応する少なくとも一つの値を決定し、前記基地局に通知する【０１０３】
［２４］  ［２３］の基地局において、前記ＱｏＳ情報が、トラフィッククラス情報及び／又は優先度情報を含む。【０１０４】
［２５］  実施例の通信方法においては、無線制御局が、基地局と端末間の無線通信の通信品質に関する管理情報を導出し、
前記基地局が、前記無線制御局からの前記管理情報に基づき、前記基地局と前記端末間の帯域の割当を行う。【０１０５】
［２６］  ［２５］通信方法において、前記基地局は、前記端末から通知された通信品質の報告と、前記無線制御局からの前記管理情報に基づき、前記基地局と前記端末間の帯域の割当を決定する。【０１０６】
［２７］  ［２５］又は［２６］の通信方法において、前記無線制御局は、コアネットワークからの所定のパラメータに基づき、前記通信品質に関する管理情報を導出する。【０１０７】
［２８］  ［２５］乃至［２６］のいずれか１つの通信方法において、前記無線制御局は、ＱｏＳ（Ｑｕａｌｉｔｙ  ｏｆ  Ｓｅｒｖｉｃｅ）情報、最大送信速度（ＭＢＲ）、保証伝送速度（ＧＢＲ）のうちの少なくとも一つのパラメータに基づき、前記通信品質の前記管理情報として、前記通信品質のマージン、前記通信品質の上限値、前記通信品質の下限値のうち前記パラメータに対応する少なくとも一つの値を決定し、前記基地局に通知する。【０１０８】
［２９］［２８］の通信方法において、前記無線制御局は、前記保証伝送速度（ＧＢＲ）の通知がある場合、前記保証伝送速度（ＧＢＲ）に基づき、前記通信品質の下限値を決定し、
前記保証伝送速度（ＧＢＲ）の通知がない場合、前記下限値を予め定められた最小値に設定する。【０１０９】
［３０］  ［２５］乃至［２９］のいずれか１つの通信方法において、前記通信品質がＣＱＩ（Ｃｈａｎｎｅｌ  Ｑｕａｌｉｔｙ  Ｉｎｄｉｃａｔｏｒ）を含む。【０１１０】
［３１］  ［３０］の通信方法において、前記基地局は、前記端末からＣＱＩの報告を受けた場合、前記無線制御局から通知されたＣＱＩマージン、ＣＱＩ上限値、ＣＱＩ下限値の少なくとも一つ、および、前記端末からのＣＱＩ報告値を用いてＣＱＩを決定する。【０１１１】
［３２］  実施例の通信方法においては、基地局が、前記基地局と前記端末間の無線通信の通信品質に関する管理情報を導出し、前記管理情報に基づき、前記基地局と前記端末間の帯域の割当を行う。【０１１２】
［３３］  ［３２］の通信方法において、前記基地局が、前記端末から前記通信品質としてＣＱＩ（Ｃｈａｎｎｅｌ  Ｑｕａｌｉｔｙ  Ｉｎｄｉｃａｔｏｒ）の報告を取得し、コアネットワークからの、ＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、ＣＱＩマージン、ＣＱＩ上限値、ＣＱＩ下限値のうち前記パラメータに対応する少なくとも一つの値を決定する。【０１１３】
［３４］  ［２８］又は［３３］の通信方法において、前記ＱｏＳ情報が、トラフィッククラス情報及び／又は優先度情報を含む。【０１１４】
［３５］  実施例の端末は、基地局と無線通信する端末であって、前記基地局に通信品質を報告し、無線制御局側又は前記基地局で導出された、前記基地局と端末間の無線通信の通信品質に関する管理情報と、前記端末からの前記通信品質の報告と、に基づき、前記基地局によって、前記基地局との間の帯域の割当が行われる。【０１１５】
なお、上記の特許文献１、２、３の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
2009093542.tif 000005
【図２】
2009093542.tif 000006
【図３】
2009093542.tif 000007
【図４】
2009093542.tif 000008
【図５】
2009093542.tif 000009
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
端末と、
前記端末と無線通信する基地局と、
前記基地局と前記端末間の無線通信の通信品質に関する管理情報を導出し前記基地局に通知する無線制御局と、
を備え、前記基地局は、前記無線制御局からの前記管理情報に基づき、前記基地局と前記端末間の帯域の割当を行う、ことを特徴とする通信システム。
【請求項２】
前記無線制御局は、ＱｏＳ（Ｑｕａｌｉｔｙ  ｏｆ  Ｓｅｒｖｉｃｅ）情報、最大送信速度（ＭＢＲ）、保証伝送速度（ＧＢＲ）のうちの少なくとも一つのパラメータに基づき、前記通信品質の前記管理情報として、前記通信品質のマージン、前記通信品質の上限値、前記通信品質の下限値のうち前記パラメータに対応する少なくとも一つの値を決定し、前記基地局に通知する、ことを特徴とする請求項１に記載の通信システム。
【請求項３】
前記基地局は、前記無線制御局から通知されたＣＱＩ（Ｃｈａｎｎｅｌ  Ｑｕａｌｉｔｙ  Ｉｎｄｉｃａｔｏｒ）マージン、ＣＱＩ上限値、ＣＱＩ下限値の少なくとも一つ、および、前記端末からのＣＱＩ報告値を用いてＣＱＩを決定する、ことを特徴とする請求項１記載の通信システム。
【請求項４】
端末と基地局とを備え、
前記基地局が、前記基地局と前記端末間の無線通信の通信品質に関する管理情報を導出し、前記端末から通知された通信品質の報告と、前記管理情報に基づき、前記基地局と前記端末間の帯域の割当を行う、ことを特徴とする通信システム。
【請求項５】
前記基地局が、前記基地局と端末との間の無線通信に関する通信品質を前記端末から取得し、コア・ネットワークからのＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、ＣＱＩ（Ｃｈａｎｎｅｌ  Ｑｕａｌｉｔｙ  Ｉｎｄｉｃａｔｏｒ）マージン、ＣＱＩ上限値、ＣＱＩ下限値のうち前記パラメータに対応する少なくとも一つの値を決定する無線制御部を備えている、ことを特徴とする請求項４記載の通信システム。
【請求項６】
無線接続する端末との間の帯域の割当を行う基地局に接続する無線制御局であって、
前記基地局と前記端末間の無線通信の通信品質に関する管理情報を導出する手段を備え、前記管理情報を前記基地局に通知する、ことを特徴とする無線制御局。
【請求項７】
無線接続する端末から通知された通信品質の報告と、無線制御局で導出された通信品質の管理情報と、に基づき、基地局と前記端末間の帯域の割当を決定する手段を備えている、ことを特徴とする基地局。
【請求項８】
端末と無線通信する基地局であって、前記基地局と前記端末間の無線通信の通信品質に関する管理情報を導出し、前記端末から通知された通信品質の報告と、前記管理情報に基づき、前記基地局と前記端末間の帯域の割当を行う手段を備えた、ことを特徴とする基地局。
【請求項９】
無線制御局が、基地局と端末間の無線通信の通信品質に関する管理情報を導出し、
前記基地局が、前記無線制御局からの前記管理情報に基づき、前記基地局と前記端末間の帯域の割当を行う、ことを特徴とする通信方法。
【請求項１０】
無線制御局又は基地局において、
ＱｏＳ（Ｑｕａｌｉｔｙ  ｏｆ  Ｓｅｒｖｉｃｅ）情報をクラス分けしたトラフィッククラス又はプライオリティに対応する、チャネル品質表示ＣＱＩ（Ｃｈａｎｎｅｌ  Ｑｕａｌｉｔｙ  Ｉｎｄｉｃａｔｏｒ）のマージンを求め、
移動局から報告されたＣＱＩ報告値とＣＱＩマージンから、
ＣＱＩ報告値−ＣＱＩマージン
を求め、
前記基地局から前記移動局へのダウンリンク送信に割当てられるチャネルコード数として、ＣＱＩ報告値−ＣＱＩマージンの値に対応する、チャネルコード数を求める、ことを特徴とする通信システム。
【手続補正２】
【補正対象書類名】明細書
【補正対象項目名】全文
【補正方法】変更
【補正の内容】
【発明の詳細な説明】
【技術分野】
【０００１】
（関連出願についての記載）
本願は、先の日本特許出願２００８−０１３７６１号（２００８年１月２４日出願）の優先権を主張するものであり、前記先の出願の全記載内容は、本書に引用をもって繰込み記載されているものとみなされる。
本発明は、無線通信システムに関し、特に、基地局と端末の間のチャネルの割当技術に関する。
【背景技術】
【０００２】
無線ネットワーク制御局（Ｒａｄｉｏ  ｎｅｔｗｏｒｋ  Ｃｏｎｔｒｏｌｌｅｒ；「無線制御局」、単に「制御局」とも略記される）においては、無線基地局（「基地局」という）と端末（移動局）間で閉じて行われていたＣＱＩ（Ｃｈａｎｎｅｌ  Ｑｕａｌｉｔｙ  Ｉｎｄｉｃａｔｏｒ：チャネル品質表示）を用いた制御には関与していない。ＣＱＩは、移動局にてＰ−ＣＰＩＣＨ（Ｐｒｉｍａｒｙ  Ｃｏｍｍｏｎ  Ｐｉｌｏｔ  Ｃｈａｎｎｅｌ）の受信品質に基づいて決定され、ＢＬＥＲ（Ｂｌｏｃｋ  Ｅｒｒｏｒ  Ｒａｔｉｏ）＜１０％を達成するＴＦＲＩ（Ｔｒａｎｓｐｏｒｔ  Ｆｏｒｍａｔ  Ｒｅｓｏｕｒｃｅ  Ｉｎｄｅｘ：タイムスロットに割りあてたコード数、変調方式、データサイズを表す）を、１〜３０の数値で示す。
【０００３】
この場合、例えば非優先呼のＣＱＩが、優先呼のＣＱＩ値よりも高いために、優先呼のスループットが低下することが予想される。
【０００４】
また、コア・ネットワークから通知される最大送信速度（ＭＢＲ：Ｍａｘｉｍｕｍ  Ｂｉｔ  Ｒａｔｅ）を基地局側で考慮していないため、基地局が移動局（ＵＥ：Ｕｓｅｒ  Ｅｑｕｉｐｍｅｎｔ）の能力以上のスループットを出してしまう可能性がある。
【０００５】
さらに、ストリーミングサービスにおいては、移動局からのＣＱＩ報告値により、保証伝送速度（ＧＢＲ：Ｇｕａｒａｎｔｅｅｄ  Ｂｉｔ  Ｒａｔｅ）を下回るチャネル割り当てが行われる可能性がある。
【０００６】
基地局は、端末から送信されたＣＱＩ（品質情報）を用いて適切なＴＦＲＩを選択することで、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）の適応変調・符号化（ＡＭＣ：Ａｄａｐｔｉｖｅ  Ｍｏｄｕｌａｔｉｏｎ  ａｎｄ  Ｃｏｄｉｎｇ）を実現する。
【０００７】
なお、特許文献１には、無線ネットワーク制御局（ＲＮＣ）が予め選択された時間、ノードＮＯＤＥＢ＃１（基地局）の目標ＳＩＲ（信号対干渉比）の更新が行われなかった場合、自律的に目標ＳＩＲを細かい刻みで更新する構成が開示されている。また特許文献２には、移動局と無線基地局との間で適応変調制御を実行する移動通信システムにおいて、適応変調制御に用いるパラメータに関する情報を、無線基地局の上位装置側に送信する送信処理部を備えた構成、及び、前記上位装置側において前記パラメータを用いた帯域制御を実行する帯域制御部を備えた構成の移動通信システムが開示されている。さらに、特許文献３には、無線基地局にて上りリンクの無線リソース制御を直接行う移動通信システムにおいて、無線基地局間における上り無線リソースを効率的に割り当て、各移動局の上りリンクの通信品質劣化及び呼切断を防ぐ無線リソース割当方法が開示されている。この方法においては、無線基地局が当該無線基地局の特定セルにおける総受信電力と無線回線制御局から指定される第１の目標値とを比較し、前記総受信電力が前記第１の目標値よりも大きくない場合、前記特定セルをサービングセルとするサービング移動局からの受信電力と当該特定セルを非サービングセルとする非サービング移動局からの受信電力との比と、無線回線制御局から指定される第２の目標値とを比較し、前記比が前記第２の目標値よりも小さくない場合、前記非サービング移動局に割り当てる上り無線リソースを変更することなく維持する。上記特許文献１乃至３に開示された発明は、後の説明からも明らかとされるように、本発明とはその構成、作用効果が全く相違している。
【０００８】
【特許文献１】特開２００２−３４４３８４号公報
【特許文献２】特開２００６−６７４３３号公報
【特許文献３】特開２００６−２５４４２６号公報
【発明の開示】
【発明が解決しようとする課題】
【０００９】
以下に本発明により関連技術の分析を与える。
【００１０】
関連技術においては、ＣＱＩ（Ｃｈａｎｎｅｌ  Ｑｕａｌｉｔｙ  Ｉｎｄｉｃａｔｏｒ）を用いた送信制御には関与していないため、非優先呼のＣＱＩが優先呼のＣＱＩ値よりも高いために優先呼のスループットが低下することが予想される。
【００１１】
また、コア・ネットワークから通知される最大送信速度（ＭＢＲ：Ｍａｘｉｍｕｍ  Ｂｉｔ  Ｒａｔｅ）を基地局側が意識（考慮）しないため、基地局が移動局（ＵＥ：Ｕｓｅｒ  Ｅｑｕｉｐｍｅｎｔ）の能力以上のスループットを出してしまう可能性がある。
【００１２】
さらに、ストリーミングサービスにおいては、移動局からのＣＱＩ報告値により保証伝送速度（ＧＢＲ：Ｇｕａｒａｎｔｅｅｄ  Ｂｉｔ  Ｒａｔｅ）を下回るチャネル割り当てが行われる可能性がある。
【００１３】
したがって、本発明の目的は、基地局と端末間の通信品質を管理することで、基地局が移動局の能力以上のスループットを出すことを回避し、サービス品質の劣化を回避する通信システム、無線制御局、基地局、通信方法を提供することにある。
【課題を解決するための手段】
【００１４】
本願で開示される発明は前記課題を解決するため概略以下の構成とされる。本発明の１つの側面によれば、端末（移動局）と基地局と無線制御局とを備え、前記無線制御局は、基地局と端末間の無線通信の通信品質に関する管理情報を導出し、前記基地局は、前記無線制御局からの前記管理情報に基づき、前記基地局と前記端末間の帯域の割当を行う通信システムが提供される。
【００１５】
本発明によれば、無線接続する端末との間の帯域の割当を行う基地局に接続する無線制御局であって、前記基地局と前記端末間の無線通信の通信品質に関する管理情報を導出する手段を備え、前記管理情報を前記基地局に通知する無線制御局が提供される。
【００１６】
本発明によれば、無線接続する端末から通知された通信品質の報告と、無線制御局で導出された通信品質の管理情報と、に基づき、基地局と前記端末間の帯域の割当を決定する手段を備えている基地局が提供される。
【００１７】
本発明によれば、端末と無線通信する基地局であって、前記基地局と前記端末間の無線通信の通信品質に関する管理情報を導出し、前記管理情報に基づき、前記基地局と前記端末間の帯域の割当を行う手段を備えた基地局が提供される。
【００１８】
本発明によれば、無線制御局が、基地局と端末間の無線通信の通信品質に関する管理情報を導出し、
前記基地局が、前記無線制御局からの前記管理情報に基づき、前記基地局と前記端末間の帯域の割当を行う、通信方法が提供される。
【００１９】
本発明によれば、基地局が、前記基地局と前記端末間の無線通信の通信品質に関する管理情報を導出し、前記管理情報に基づき、前記基地局と前記端末間の帯域の割当を行う、通信方法が提供される。
【００２０】
本発明によれば、基地局と無線通信する端末であって、前記基地局に通信品質を報告し、無線制御局側又は前記基地局で導出された、前記基地局と端末間の無線通信の通信品質に関する管理情報と、前記端末からの前記通信品質の報告と、に基づき、前記基地局によって、前記基地局との間の帯域の割当が行われる端末が提供される。
【発明の効果】
【００２１】
本発明によれば、基地局が移動局の能力以上のスループットを出すことを回避し、サービス品質の劣化を回避することができる。その結果、優先呼のスループットを改善し、チャネル割り当ての最適化を図ることができる。
【図面の簡単な説明】
【００２２】
【図１】本発明の一実施例の動作を説明する流れ図である。
【図２】本発明の一実施例の動作を説明する流れ図である。
【図３】本発明を適用した場合と適用しない場合の効果を説明する図である。
【図４】本発明の一実施例のシステム構成を示す図である。
【図５】本発明の一実施例のシステム構成を示す図である。
【符号の説明】
【００２３】
１０  コア・ネットワーク
２０  制御局（無線制御局）
２１  ＣＱＩ上限値決定部
２２  ＣＱＩ下限値決定部
２３  ＣＱＩマージン決定部
３０  基地局（無線基地局）
４０  移動局
５０  無線制御部
５１  ＣＱＩ上限値決定部
５２  ＣＱＩ下限値決定部
５３  ＣＱＩマージン決定部
５４  無線伝送部
【発明を実施するための最良の形態】
【００２４】
本発明においては、無線制御局は、基地局に対して、ＱｏＳ（Ｑｕａｌｉｔｙ  ｏｆ  Ｓｅｒｖｉｃｅ）クラスやコア・ネットワークから通知される最大送信速度（ＭＢＲ：Ｍａｘｉｍｕｍ  Ｂｉｔ  Ｒａｔｅ）・保証送信速度（ＧＢＲ：Ｇｕａｒａｎｔｅｅｄ  Ｂｉｔ  Ｒａｔｅ）を考慮したＣＱＩマージン・ＣＱＩ上限値／下限値を通知する。該基地局では、無線制御局から通知されたＣＱＩマージン、ＣＱＩ上限値／下限値と、端末（移動局）から通知されるＣＱＩ報告値とを基に、端末との間のチャネル割り当てを行う。なお、ＣＱＩは、端末（移動局）において、Ｐ−ＣＰＩＣＨ（Ｐｒｉｍａｒｙ  Ｃｏｍｍｏｎ  Ｐｉｌｏｔ  Ｃｈａｎｎｅｌ）の受信品質に基づいて決定され、
ＢＬＥＲ（Ｂｌｏｃｋ  Ｅｒｒｏｒ  Ｒａｔｉｏ）＜１０％
を達成するＴＦＲＩ（Ｔｒａｎｓｐｏｒｔ  Ｆｏｒｍａｔ  Ｒｅｓｏｕｒｃｅ  Ｉｎｄｅｘ：タイムスロットに割りあてたコード数、変調方式、データサイズを表す）を１〜３０の数値で示す。以下実施例に即して説明する。
【実施例】
【００２５】
図４は、本発明の一実施例のシステム構成を示す図である。図４を参照すると、本実施例の通信システムは、コア・ネットワーク１０と、無線制御局（ＲＮＣ：以下「制御局」という）２０と、基地局３０と、端末（移動局）（ＵＥ：Ｕｓｅｒ  Ｅｑｕｉｐｍｅｎｔ）４０を備えている。
【００２６】
本実施例において、制御局２０は、基地局３０と端末（移動局）４０間の通信品質（例えば下りチャネル）の管理情報を導出するための構成として、ＣＱＩ上限値決定部２１とＣＱＩ下限値決定部２２とＣＱＩマージン決定部２３とを備えている。
【００２７】
本実施例においては、制御局２０のＣＱＩマージン決定部２３で決定されたＣＱＩマージンは、基地局３０に通知される。
【００２８】
基地局３０は、制御局２０から通知されたＣＱＩマージンを用いて、非優先呼のチャネル割り当てを抑制することで、優先呼に多くのチャネルを割り当て、優先呼のスループットを改善する。
【００２９】
また、コア・ネットワーク１０から制御局２０に通知される、ＭＢＲやＧＢＲを基に、制御局２０のＣＱＩ上限値決定部２１、ＣＱＩ下限値決定部２２は、ＣＱＩ上限値とＣＱＩ下限値をそれぞれ決定し、基地局３０に通知する。この結果、基地局３０において、余分なチャネル割り当てを行うことが抑制され、最適なチャネル割り当てが行われる。
【００３０】
図１は、本発明の一実施例における。制御局２０のＣＱＩマージン・ＣＱＩ上限値・ＣＱＩ下限値を決定する手順を示すフローチャートである。
【００３１】
ＣＱＩマージン値の決定とＣＱＩ上限値の決定は、例えば、新規呼を確立する時に行われる。
【００３２】
制御局２０は、新規呼を確立するときに、コア・ネットワーク１０より、ＧＢＲ、ＭＢＲトラフィッククラス（Ｔｒａｆｆｉｃ  Ｃｌａｓｓ）、アロケーション（割当）／リテンション（保持）・プライオリティ（Ａｌｌｏｃａｔｉｏｎ／Ｒｅｔｅｎｔｉｏｎ  Ｐｒｉｏｒｉｔｙ）、トラフィックハンドリング・プライオリティ（Ｔｒａｆｆｉｃ  Ｈａｎｄｌｉｎｇ  Ｐｒｉｏｒｉｔｙ）などが通知される（ステップＳ１）。
【００３３】
制御局２０は、これらの値と、移動局（ＵＥ）４０の能力（ＵＥ  Ｃａｔｅｇｏｒｙ）を基に、ＣＱＩマージン・ＣＱＩ上限値／下限値を決定する。
【００３４】
まず、制御局２０のＣＱＩマージン決定部２３は、トラフィッククラス、プライオリティにより、ＣＱＩマージンを決定する（ステップＳ２）。
【００３５】
次に、制御局２０のＣＱＩ上限値決定部２１は、ＭＢＲよりＣＱＩ上限値を決定する（ステップＳ３）。
【００３６】
コア・ネットワーク１０より制御局２０に、ＧＢＲの通知がある場合（ステップＳ４のＹＥＳ分岐）、制御局２０のＣＱＩ下限値決定部２２は、ＧＢＲによりＣＱＩ下限値を決定する（ステップＳ５）。
【００３７】
コア・ネットワーク１０より制御局２０に、ＧＢＲの通知がない場合（ステップＳ４のＮＯ分岐）、制御局２０のＣＱＩ下限値決定部２２は、ＣＱＩ下限値を最小値に設定する（ステップＳ６）。
【００３８】
制御局２０のＣＱＩマージン決定部２３、ＣＱＩ上限値決定部２１、ＣＱＩ下限値決定部２２は、決定したＣＱＩマージン、ＣＱＩ上限値、ＣＱＩ下限値を、基地局３０に通知する。
【００３９】
以下、制御局２０におけるＣＱＩ上限値とＣＱＩ下限値とＣＱＩマージンの決定の仕方を説明する。
【００４０】
＜ＣＱＩ上限値の決定＞
制御局２０は、ＣＱＩ上限値決定部２１において、コア・ネットワーク１０より通知されるＭＢＲを基に、ＣＱＩ上限値を決定する。以下の表１は、ＭＢＲをＣＱＩ上限値にマッピングするテーブルの一例を示している。表１のNumber of HS-PDSCHは、HS-PDSCH(High Speed Physical Down Link)送信に用いられるコード数（チャネルコード数）を表している。表１のマッピングテーブルはＣＱＩ上限値決定部２１内に保持される。
【００４１】
コア・ネットワーク１０より通知されたＭＢＲが例えば１Ｍｂｐｓ（メガビット／秒）である場合、制御局２０のＣＱＩ上限値決定部２１は、ＣＱＩ上限値とＭＢＲのマッピングテーブル（表１）を参照して、ＣＱＩ上限値を「１４」と決定する。表１のテーブルにおいて、ＣＱＩ値の「１２」と「１４」の間にビットレート１Ｍｂｐｓが存在するため、ＣＱＩ上限値を「１２」と決定してもよい。
【００４２】
本実施例において、マッピングテーブルは、ＵＥカテゴリ（ＵＥ  Ｃａｔｅｇｏｒｙ）とよばれる移動局の能力毎に用意される。ＵＥカテゴリは、呼確立時に、移動局４０から基地局２０を介して制御局２０に通知されている。
【００４３】
【表１】
2009093542.tif 000010
【００４４】
＜ＣＱＩ下限値の決定＞
コア・ネットワーク１０からＧＢＲが通知された場合、制御局２０のＣＱＩ下限値決定部２２は、ＣＱＩ上限値と同様に、表１のマッピングテーブルを用いて、ＣＱＩ下限値を決定する。
【００４５】
例えば、ＧＢＲが０．５Ｍｂｐｓの場合、ＣＱＩ下限値を「９」に設定する。ＧＢＲがコア・ネットワーク１０から報告されなかった場合は、ＣＱＩ下限値を最小値に設定する。なお、ＣＱＩ下限値の決定処理は、制御局２０の代わりに、基地局３０で行ってもよい。基地局３０は、制御局２０からＧＢＲを通知される場合もあり、この場合、基地局３０にてＣＱＩ下限値の決定を行うことができる。
【００４６】
＜ＣＱＩマージンの決定＞
制御局２０のＣＱＩマージン決定部２３は、コア・ネットワーク１０より通知されるＱｏＳクラスであるトラフィッククラス（Ｔｒａｆｆｉｃ  Ｃｌａｓｓ）を基に、ＣＱＩマージンを決定する。
【００４７】
下記の表２に、トラフィッククラスとＣＱＩマージンのマッピングテーブルの一例を示している。表２に示すように、ＱｏＳクラスを、Ｃｏｎｖｅｒｓａｔｉｏｎａｌ（会話）クラス、Ｓｔｒｅａｍｉｎｇ（ストリーミング）クラス、Ｉｎｔｅｒａｃｔｉｖｅ（インタラクティブ）クラス、Ｂａｃｋｇｒｏｕｎｄ（バックグランド）クラスの４つのトラフィッククラスに分ける。Ｃｏｎｖｅｒｓａｔｉｏｎａｌ及びＳｔｒｅａｍｉｎｇクラスは実時間のトラフィック、Ｉｎｔｅｒａｃｔｉｖｅ及びＢａｃｋｇｒｏｕｎｄクラスは、非実時間のトラフィックであり、それぞれのトラフィック・クラスに対して、ＣＱＩマージンは０、２、４、８とされている。
【００４８】
コア・ネットワーク１０より通知されたトラフィッククラスが、例えばインタラクティブ（Ｉｎｔｅｒａｃｔｉｖｅ）の場合、制御局２０のＣＱＩマージン決定部２３は、ＣＱＩマージンを「４」と決定する。
【００４９】
この例の場合、制御局２０のＣＱＩマージン決定部２３は、トラフィッククラスのみを考慮しているが、アロケーション／リテンション・プライオリティ（Ａｌｌｏｃａｔｉｏｎ／Ｒｅｔｅｎｔｉｏｎ  Ｐｒｉｏｒｉｔｙ）やトラフィックハンドリングプライオリティ（Ｔｒａｆｆｉｃ  Ｈａｎｄｌｉｎｇ  Ｐｒｉｏｒｉｔｙ）などを用いて細かな割り当て制御を行うようにしてもよい。アロケーション／リテンション・プライオリティでは、「０」〜「１５」の差別化が行え、トラフィックハンドリングプライオリティでも「０」〜「１５」の差別化を行うことができる。なお、ＣＱＩマージンは負の数を設定してもよい。
【００５０】
ＣＱＩマージンの決定処理は、制御局２０の代わりに、基地局３０側で行うようにしてもよい。
【００５１】
基地局３０は、制御局２０からスケジューリングプライオリティ（Ｓｃｈｅｄｕｌｉｎｇ  Ｐｒｉｏｒｉｔｙ）とアロケーション／リテンション・プライオリティの通知を受けるため、これらの値を考慮して、ＣＱＩマージンを決定することも可能である。
【００５２】
ただし、基地局３０でＣＱＩマージンの決定処理を行う場合、トラフィックハンドリングプライオリティの代わりに、スケジューリングプライオリティ・インディケータを用いることになる。
【００５３】
【表２】
2009093542.tif 000011
【００５４】
上記のように、制御局２０は、ＣＱＩマージンとＣＱＩ上限値／下限値を決定し、基地局３０に通知することになる。
【００５５】
図２は、基地局３０におけるＣＱＩ値の決定手順を示すフローチャートである。以下に、図２及び図４を参照して、基地局３０におけるＣＱＩ値の決定を説明する。
【００５６】
基地局３０は、移動局４０よりＣＱＩが通知される（ステップＳ１１）。
【００５７】
基地局３０は、移動局４０よりＣＱＩの通知を受けた場合（ステップＳ１２のＹＥＳ）、制御局２０から通知されたＣＱＩマージンとＣＱＩ上限値、および、移動局４０から通知されるＣＱＩ報告値を用いて、移動局４０の実際のＣＱＩを、例えば式（１）のように決定する（ステップＳ１３）。
【００５８】
ＣＱＩ＝Ｍｅｄｉａｎ（ＣＱＩ上限値，（ＣＱＩ報告値−ＣＱＩマージン），ＣＱＩ下限値）    ・・・（１）
【００５９】
上式（１）において、Ｍｅｄｉａｎは中央値である。上式（１）で決定されたＣＱＩを基地局３０のスケジューラ（不図示；チャネル割当等の無線伝送のスケジューリング制御を行う）に入力する（ステップＳ１４）。
【００６０】
例えば、
“（ＣＱＩ報告値−ＣＱＩマージン）＞ＣＱＩ上限値”となった場合、通常、移動局４０の能力以上のスループット（ＭＢＲ）を出すことになるが、本実施例においては、ＣＱＩ上限値の導入により、移動局４０の能力以下に基地局３０のスループットを抑えることが可能になる。すなわち、制御局２０から基地局３０に通知されるＣＱＩ上限値により、基地局３０のスケジューラにおいて、基地局３０からの送信速度等が、移動局４０の能力以下を超えることは回避される。
【００６１】
また、“（ＣＱＩ報告値−ＣＱＩマージン）＜ＣＱＩ下限値”となった場合、保証すべきサービス品質を下回ったスループットにすることになる。しかしながら、本実施例によれば、ＣＱＩ下限値により、サービス品質低下を抑えることが可能になる。
【００６２】
また、移動局＃１（図４参照）がトラフィッククラスとして、会話（Ｃｏｎｖｅｒｓａｔｉｏｎａｌ）を行っており、移動局＃２（図４参照）がバックグランド（Ｂａｃｋｇｒｏｕｎｄ）を行っていたとする。
【００６３】
このとき、移動局＃１のＣＱＩ報告値が「１２」、移動局＃２のＣＱＩ報告値が「１４」であった場合、通常だと（すなわち本発明を適用しない場合）、表１のマップテーブルから、
移動局＃１に３コードを割り当て、
移動局＃２に４コードを割り当てることになる。
【００６４】
これに対して、本発明によれば、ＣＱＩマージンの導入により、表２から、トラフィッククラスが会話（Ｃｏｎｖｅｒｓａｔｉｏｎａｌ）のＣＱＩマージンは「０」、トラフィッククラスがバックグランド（Ｂａｃｋｇｒｏｕｎｄ）のＣＱＩマージンは「８」となり、
移動局＃１：ＣＱＩ報告値（＝１２）−ＣＱＩマージン（＝０）＝１２
移動局＃２：ＣＱＩ報告値（＝１４）−ＣＱＩマージン（＝８）＝６
となり、
移動局＃１には、ＣＱＩ＝１２に対応する３コード、
移動局＃２には、ＣＱＩ＝６に対応する１コード
が割り当てられることになる。すなわち、移動局＃１に対して、優先的にチャネルを割り当てることが可能になる。
【００６５】
図３は、本発明を適用した場合と適用しない比較例とを対比して示す図である。図３において、破線は、移動局より通知されるＣＱＩ値の時間変化を示している。実線は、本発明にしたがってＣＱＩ上限値とＣＱＩ下限値を用いた場合における、基地局３０のスケジューラで使用されるＣＱＩ値を示している。
【００６６】
図３に示すように、ＣＱＩ報告値がＣＱＩ上限値を超えると、本発明が適用されない場合には、基地局のスケジューラは、コア・ネットワークより通知されたＭＢＲ以上のチャネルリソースを割り当てようとしてしまう（図３のＣＱＩ上限値を超えた破線参照）。
【００６７】
これに対して、本実施例においては、ＣＱＩ上限値を設けることで、余分なチャネルリソースを割り当てないように動作することができる。
【００６８】
また、本発明が適用されない場合、ＣＱＩ報告値がＣＱＩ下限値を下回ると、基地局スケジューラはコア・ネットワークより通知されたＧＢＲ以下のチャネルリソースしか割り当てないようにしてしまう（図３のＣＱＩ下限値より下方の破線参照）。
【００６９】
これに対して、本実施例によれば、ＣＱＩ下限値を設けることで最低限のサービス品質を保つだけのチャネルリソースを割り当てるように動作することができる。
【００７０】
以上説明したように、本実施例においては、以下の作用効果を奏する。
【００７１】
本実施例によれば、ＭＢＲを考慮してＣＱＩの上限を設けているため、基地局が移動局（ＵＥ）の能力以上の送信速度を出すことがない。
【００７２】
本実施例によれば、ＧＢＲを考慮してＣＱＩの下限を設けているため、サービス品質を劣化させないことを可能としている。
【００７３】
本実施例によれば、トラフィッククラス（Ｔｒａｆｆｉｃ  Ｃｌａｓｓ）やプライオリティ（Ｐｒｉｏｒｉｔｙ）などのＱｏＳ（Ｑｕａｌｉｔｙ  ｏｆ  Ｓｅｒｖｉｃｅ）を考慮して、ＣＱＩ値の変更をしているため、サービスの差別化を行うことができる。
【００７４】
さらに、本実施例によれば、３ＧＰＰで標準化が進んでいるＬＴＥ（Ｌｏｎｇ  Ｔｅｒｍ  Ｅｖｏｌｕｔｉｏｎ）では、制御局と基地局が一体化されているため、上記全ての情報（ＭＢＲ／ＧＢＲ／Ｐｒｉｏｒｉｔｙ）を、基地局で知ることが可能である。したがって、図５に示すように、ＣＱＩ上限値決定部５１、ＣＱＩ下限値決定部５２、ＣＱＩマージン決定部５３を、基地局３０（ｅＮｏｄｅＢ）側の無線制御部５０に備えた構成としてもよい。
【００７５】
ＬＴＥでは、既存のＷ−ＣＤＭＡのＨＳＤＰＡ（Ｈｉｇｈ  Ｓｐｅｅｄ  Ｄｏｗｎ  Ｐａｃｋｅｔ  Ａｃｃｅｓｓ）方式とは異なり、サブキャリアの本数をダイナミックに移動局に割り当てることで、スループットを改善する。
【００７６】
上記のチャネルをサブキャリアに置き換えることで、ＭＢＲ／ＧＢＲ／Ｐｒｉｏｒｉｔｙ（優先順位）を考慮して、割り当てるサブキャリア数に制限を設けることが可能である。
【００７７】
ＣＱＩ上限値・ＣＱＩ下限値により、サブキャリアの割り当て数の上限・下限を決定し、ＣＱＩマージンによりサブキャリア割り当て数に優先順位に応じた差別化を行う。
【００７８】
また、ＬＴＥと並行して３ＧＰＰで検討が進められているＨＳＰＡ  Ｅｖｏｌｕｔｉｏｎでは、アクセス方式は従来の通りＣＤＭＡ方式を採用するが、制御局と基地局が一体化されることを想定している。この場合、ＬＴＥと同様に基地局だけで、ＭＢＲ／ＧＢＲ／Ｐｒｉｏｒｉｔｙを知ることができる。この場合、図５に示すように、ＣＱＩ上限値決定部５１、ＣＱＩ下限値決定部５２、ＣＱＩマージン決定部５３を、基地局３０の無線制御部５０に備え、無線伝送部５４のスケジューラ（不図示）にて、チャネル数の割り当てを行うことになる。
【００７９】
上記した実施例は、特に制限されないが、以下のように付記される。
［付記１］
端末と、
前記端末と無線通信する基地局と、
前記基地局と前記端末間の無線通信の通信品質に関する管理情報を導出し前記基地局に通知する無線制御局と、
を備え、前記基地局は、前記無線制御局からの前記管理情報に基づき、前記基地局と前記端末間の帯域の割当を行う、ことを特徴とする通信システム。
［付記２］
前記基地局は、前記端末から通知された通信品質の報告と、前記無線制御局からの前記管理情報とに基づき、前記基地局と前記端末間の帯域の割当を決定する、ことを特徴とする付記１記載の通信システム。
［付記３］
前記無線制御局は、コア・ネットワークからの所定のパラメータに基づき、前記通信品質に関する前記管理情報を導出する、ことを特徴とする付記１又は２記載の通信システム。
［付記４］
前記無線制御局は、ＱｏＳ（Ｑｕａｌｉｔｙ  ｏｆ  Ｓｅｒｖｉｃｅ）情報、最大送信速度（ＭＢＲ）、保証伝送速度（ＧＢＲ）のうちの少なくとも一つのパラメータに基づき、前記通信品質の前記管理情報として、前記通信品質のマージン、前記通信品質の上限値、前記通信品質の下限値のうち前記パラメータに対応する少なくとも一つの値を決定し、前記基地局に通知する、ことを特徴とする付記１乃至３のいずれか１に記載の通信システム。
［付記５］
前記無線制御局は、前記保証伝送速度（ＧＢＲ）の通知がある場合、前記保証伝送速度（ＧＢＲ）に基づき、前記通信品質の下限値を決定し、前記保証伝送速度（ＧＢＲ）の通知がない場合、前記下限値を予め定められた最小値に設定する、ことを特徴とする付記４記載の通信システム。
［付記６］
前記無線制御局は、前記端末の能力に対応したカテゴリに対応させて、前記通信品質の上限値、下限値、伝送速度の対応関係を規定したテーブルを備えている、ことを特徴とする付記１乃至５のいずれか１に記載の通信システム。
［付記７］
前記無線制御局は、ＱｏＳのクラスと前記通信品質のマージンとの対応関係を規定したテーブルを備えている、ことを特徴とする付記１乃至６のいずれか１に記載の通信システム。
［付記８］
前記基地局は、ＱｏＳ（Ｑｕａｌｉｔｙ  ｏｆ  Ｓｅｒｖｉｃｅ）情報に基づき、前記通信品質の管理情報のうち、前記通信品質のマージンを導出する、ことを特徴とする付記１乃至３のいずれか１に記載の通信システム。
［付記９］
前記通信品質がＣＱＩ（Ｃｈａｎｎｅｌ  Ｑｕａｌｉｔｙ  Ｉｎｄｉｃａｔｏｒ）を含む、ことを特徴とする付記１乃至８のいずれか１に記載の通信システム。
［付記１０］
前記基地局は、前記無線制御局から通知されたＣＱＩマージン、ＣＱＩ上限値、ＣＱＩ下限値の少なくとも一つ、および、前記端末からのＣＱＩ報告値を用いてＣＱＩを決定する、ことを特徴とする付記９記載の通信システム。
［付記１１］
端末と基地局とを備え、
前記基地局が、前記基地局と前記端末間の無線通信の通信品質に関する管理情報を導出し、前記端末から通知された通信品質の報告と、前記管理情報に基づき、前記基地局と前記端末間の帯域の割当を行う、ことを特徴とする通信システム。
［付記１２］
前記通信品質がＣＱＩ（Ｃｈａｎｎｅｌ  Ｑｕａｌｉｔｙ  Ｉｎｄｉｃａｔｏｒ）を含む、ことを特徴とする付記１１記載の通信システム。
［付記１３］
前記基地局が、前記基地局と端末との間の無線通信に関する通信品質を前記端末から取得し、コア・ネットワークからのＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、ＣＱＩマージン、ＣＱＩ上限値、ＣＱＩ下限値のうち前記パラメータに対応する少なくとも一つの値を決定する無線制御部を備えている、ことを特徴とする付記１２記載の通信システム。
［付記１４］
前記ＱｏＳ情報が、トラフィッククラス情報及び／又は優先度情報を含む、ことを特徴とする付記４、７、８、１３のいずれか１に記載の通信システム。
［付記１５］
無線接続する端末との間の帯域の割当を行う基地局に接続する無線制御局であって、
前記基地局と前記端末間の無線通信の通信品質に関する管理情報を導出する手段を備え、前記管理情報を前記基地局に通知する、ことを特徴とする無線制御局。
［付記１６］
コア・ネットワークからの所定のパラメータに基づき前記通信品質に関する管理情報を導出する、ことを特徴とする付記１５記載の無線制御局。
［付記１７］
ＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、前記通信品質のマージン、前記通信品質の上限値、前記通信品質の下限値のうち前記パラメータに対応する少なくとも一つの値を決定し、前記基地局に通知する、ことを特徴とする付記１５又は１６記載の無線制御局。
［付記１８］
前記保証伝送速度（ＧＢＲ）の通知がある場合、前記保証伝送速度（ＧＢＲ）により前記通信品質の下限値を決定し、前記保証伝送速度（ＧＢＲ）の通知がない場合、前記下限値を予め定められた最小値に設定する、ことを特徴とする付記１７記載の無線制御局。
［付記１９］
前記通信品質がＣＱＩ（Ｃｈａｎｎｅｌ  Ｑｕａｌｉｔｙ  Ｉｎｄｉｃａｔｏｒ）を含む、ことを特徴とする付記１５乃至１８のいずれか１に記載の無線制御局。
［付記２０］
前記ＱｏＳ情報が、トラフィッククラス情報及び／又は優先度情報を含む、ことを特徴とする付記１７記載の無線制御局。
［付記２１］
無線接続する端末から通知された通信品質の報告と、無線制御局で導出された通信品質の管理情報と、に基づき、基地局と前記端末間の帯域の割当を決定する手段を備えている、ことを特徴とする基地局。
［付記２２］
端末と無線通信する基地局であって、前記基地局と前記端末間の無線通信の通信品質に関する管理情報を導出し、前記管理情報に基づき、前記基地局と前記端末間の帯域の割当を行う手段を備えた、ことを特徴とする基地局。
［付記２３］
ＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、前記通信品質のマージン、前記通信品質の上限値、前記通信品質の下限値のうち前記パラメータに対応する少なくとも一つの値を決定し、前記基地局に通知する、ことを特徴とする付記２１又は２２記載の基地局。
［付記２４］
前記ＱｏＳ情報が、トラフィッククラス情報及び／又は優先度情報を含む、ことを特徴とする付記２３に記載の基地局。
［付記２５］
無線制御局が、基地局と端末間の無線通信の通信品質に関する管理情報を導出し、
前記基地局が、前記無線制御局からの前記管理情報に基づき、前記基地局と前記端末間の帯域の割当を行う、ことを特徴とする通信方法。
［付記２６］
前記基地局は、前記端末から通知された通信品質の報告と、前記無線制御局からの前記管理情報に基づき、前記基地局と前記端末間の帯域の割当を決定する、ことを特徴とする付記２５記載の通信方法。
［付記２７］
前記無線制御局は、コア・ネットワークからの所定のパラメータに基づき、前記通信品質に関する管理情報を導出する、ことを特徴とする付記２５又は２６記載の通信方法。
［付記２８］
前記無線制御局は、ＱｏＳ（Ｑｕａｌｉｔｙ  ｏｆ  Ｓｅｒｖｉｃｅ）情報、最大送信速度（ＭＢＲ）、保証伝送速度（ＧＢＲ）のうちの少なくとも一つのパラメータに基づき、前記通信品質の前記管理情報として、前記通信品質のマージン、前記通信品質の上限値、前記通信品質の下限値のうち前記パラメータに対応する少なくとも一つの値を決定し、前記基地局に通知する、ことを特徴とする付記２５乃至２７のいずれか１に記載の通信方法。
［付記２９］
前記無線制御局は、前記保証伝送速度（ＧＢＲ）の通知がある場合、前記保証伝送速度（ＧＢＲ）に基づき、前記通信品質の下限値を決定し、
前記保証伝送速度（ＧＢＲ）の通知がない場合、前記下限値を予め定められた最小値に設定する、ことを特徴とする付記２８記載の通信方法。
［付記３０］
前記通信品質がＣＱＩ（Ｃｈａｎｎｅｌ  Ｑｕａｌｉｔｙ  Ｉｎｄｉｃａｔｏｒ）を含む、ことを特徴とする付記２５乃至２９のいずれか１に記載の通信方法。
［付記３１］
前記基地局は、前記端末からＣＱＩの報告を受けた場合、前記無線制御局から通知されたＣＱＩマージン、ＣＱＩ上限値、ＣＱＩ下限値の少なくとも一つ、および、前記端末からのＣＱＩ報告値を用いてＣＱＩを決定する、ことを特徴とする付記３０記載の通信方法。
［付記３２］
基地局が、前記基地局と前記端末間の無線通信の通信品質に関する管理情報を導出し、前記管理情報に基づき、前記基地局と前記端末間の帯域の割当を行う、ことを特徴とする通信方法。
［付記３３］
前記基地局が、前記端末から前記通信品質としてＣＱＩ（Ｃｈａｎｎｅｌ  Ｑｕａｌｉｔｙ  Ｉｎｄｉｃａｔｏｒ）の報告を取得し、コア・ネットワークからの、ＱｏＳ（Ｑｕａｌｉｔｙ  ｏｆ  Ｓｅｒｖｉｃｅ）、最大送信速度（ＭＢＲ）、保証伝送速度（ＧＢＲ）の少なくとも一つのパラメータに基づき、前記通信品質の管理情報として、ＣＱＩマージン、ＣＱＩ上限値、ＣＱＩ下限値のうち前記パラメータに対応する少なくとも一つの値を決定する、ことを特徴とする付記３２記載の通信方法。
［付記３４］
前記ＱｏＳ情報が、トラフィッククラス情報及び／又は優先度情報を含む、ことを特徴とする付記２８又は３３に記載の通信方法。
［付記３５］
基地局と無線通信する端末であって、
前記基地局に通信品質を報告し、
無線制御局側又は前記基地局で導出された、前記基地局と端末間の無線通信の通信品質に関する管理情報と、前記端末からの前記通信品質の報告と、に基づき、前記基地局によって、前記基地局との間の帯域の割当が行われる、ことを特徴とする端末。
［付記３６］
無線制御局又は基地局において、
ＱｏＳ（Ｑｕａｌｉｔｙ  ｏｆ  Ｓｅｒｖｉｃｅ）情報をクラス分けしたトラフィッククラス又はプライオリティに対応する、チャネル品質表示ＣＱＩ（Ｃｈａｎｎｅｌ  Ｑｕａｌｉｔｙ  Ｉｎｄｉｃａｔｏｒ）のマージンを求め、
移動局から報告されたＣＱＩ報告値とＣＱＩマージンから、
ＣＱＩ報告値−ＣＱＩマージン
を求め、
前記基地局から前記移動局へのダウンリンク送信に割当てられるチャネルコード数として、ＣＱＩ報告値−ＣＱＩマージンの値に対応する、チャネルコード数を求める、ことを特徴とする通信システム。
［付記３７］
前記無線制御局又は基地局において、
ＣＱＩ報告値−ＣＱＩマージンが、予め定められたＣＱＩ上限値を超えた場合、又は、予め定められたＣＱＩ下限値を下回った場合、
前記基地局のスケジューラは前記ＣＱＩ上限値又は前記ＣＱＩ下限値を用いる、ことを特徴とする付記３６記載の通信システム。
［付記３８］
前記無線制御局又は基地局において、
ＣＱＩの値と伝送速度との対応関係を規定した第１のテーブルを備え、
前記第１のテーブルを参照して、コア・ネットワーク側から通知された最大伝送速度（ＭＢＲ）に対応するＣＱＩ値を求め、ＣＱＩ上限値とし、
前記第１のテーブルを参照して、前記コア・ネットワーク側から通知された保証伝送速度（ＧＢＲ）に対応するＣＱＩ値を求めてＣＱ下限値とし、前記コア・ネットワーク側から保証伝送速度が通知されない場合、ＣＱＩの最小値をＣＱＩ下限値とする、ことを特徴とする付記３７記載の通信システム。
［付記３９］
前記無線制御局又は基地局において、
トラフィッククラスとＣＱＩマージンとの対応関係を規定した第２のテーブルを備え、
前記第２のテーブルを参照して、コア・ネットワーク側から通知されたトラフィッククラスに対応するＣＱＩマージンを求める、ことを特徴とする付記３６又は３７記載の通信システム。
［付記４０］
前記第１のテーブルが、ＣＱＩの値及び伝送速度と対応させて、前記基地局から前記移動局へのダウンリンク送信に割当てられるチャネルコード数を保持する、ことを特徴とする付記３８記載の通信システム。
［付記４１］
無線制御局又は基地局において、
ＱｏＳ（Ｑｕａｌｉｔｙ  ｏｆ  Ｓｅｒｖｉｃｅ）情報をクラス分けしたトラフィッククラス又はプライオリティに対応する、チャネル品質表示ＣＱＩ（Ｃｈａｎｎｅｌ  Ｑｕａｌｉｔｙ  Ｉｎｄｉｃａｔｏｒ）のマージンを求め、
移動局から報告されたＣＱＩ報告値とＣＱＩマージンから、
ＣＱＩ報告値−ＣＱＩマージン
を求め、
前記基地局から前記移動局へのダウンリンク送信に割当てられるチャネルコード数として、ＣＱＩ報告値−ＣＱＩマージンの値に対応する、チャネルコード数を求める、ことを特徴とする通信方法。
［付記４２］
前記無線制御局又は基地局において、
ＣＱＩ報告値−ＣＱＩマージンが、予め定められたＣＱＩ上限値を超えた場合、又は、予め定められたＣＱＩ下限値を下回った場合、
前記基地局のスケジューラは前記ＣＱＩ上限値又は前記ＣＱＩ下限値を用いる、ことを特徴とする付記４１記載の通信方法。
［付記４３］
前記無線制御局又は基地局において、
ＣＱＩの値と伝送速度との対応関係を規定した第１のテーブルを参照して、コア・ネットワーク側から通知された最大伝送速度（ＭＢＲ）に対応するＣＱＩ値を求めＣＱＩ上限値とし、
前記第１のテーブルを参照して、前記コア・ネットワーク側から通知された保証伝送速度（ＧＢＲ）に対応するＣＱＩ値を求めてＣＱ下限値とし、前記コア・ネットワーク側から保証伝送速度が通知されない場合、ＣＱＩの最小値をＣＱＩ下限値とする、ことを特徴とする付記４２記載の通信方法。
［付記４４］
前記無線制御局又は基地局において、
トラフィッククラスとＣＱＩマージンとの対応関係を規定した第２のテーブルを参照して、コア・ネットワーク側から通知されたトラフィッククラスに対応するＣＱＩマージンを求める、ことを特徴とする付記４１又は４２記載の通信方法。
［付記４５］
前記第１のテーブルが、ＣＱＩの値及び伝送速度と対応させて、前記基地局から前記移動局へのダウンリンク送信に割当てられるチャネルコード数を保持する、ことを特徴とする付記４３記載の通信方法。
【００８０】
なお、上記の特許文献１、２、３の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【国際調査報告】
2009093542.tif 000012
2009093542.tif 000013